(57)【特許請求の範囲】
【請求項１】
無線通信システムにおける不連続伝送フレームを検出するための方法であって、
特定のフレームインターバル内の１次伝送の間の受信フレームが良フレームであるのか、あるいは、良フレームでないのかを、誤り検出コードに基づいて確かめることと、なお、良フレームは、正しく復号されたフレームである；
もし前記受信フレームが正しく復号されたデータを備えた良フレームである場合は、前記受信フレームについての不連続伝送検出をスキップすることと；
もし前記受信フレームが良フレームでない場合は、不連続伝送検出を実行し、前記受信フレームが不連続伝送フレームであるのかまたは消失フレームであるのかを、前記特定フレームインターバルの間に受信された前記１次伝送および２次伝送について決定された複数の測定基準に基づいて決定することと；
を具備し、
前記複数の測定基準は、前記受信フレームに関する再符号化記号の記号誤り率、前記受信フレームのエネルギー、および前記特定フレームインターバルの間に受信された前記２次伝送のエネルギー、を含み、
前記フレームエネルギーは、前記受信フレーム内の良再生記号のエネルギー引く不良再生記号のエネルギーとして計算され、前記良再生記号および不良再生記号は、それぞれ、記号誤り無しおよび記号誤り有りに対応する、
方法。
【請求項２】
前記２次伝送は電力制御ビットを具備する請求項１記載の方法。
【請求項３】
前記確かめることは前記１次伝送に関する各送信フレームに含まれた巡回冗長検査値に基づく請求項１記載の方法。
【請求項４】
前記決定することは、
前記特定のフレームインターバルの間に受信された前記電力制御ビットのエネルギーを決定することと、
前記受信フレームのエネルギーを決定することと、
前記受信フレームに関する再符号化記号の記号誤り率を決定することと、
を含み、
前記受信フレームが、前記記号誤り率、前記電力制御ビットエネルギー、および前記フレームエネルギーに基づいて、不連続伝送フレームあるいは消失フレームであると決定される、
請求項２記載の方法。
【請求項５】
前記決定することは、
前記記号誤り率、前記電力制御ビットエネルギー、および前記フレームエネルギーに基づいて総合測定基準を計算すること、
をさらに含み、
前記受信フレームが、前記総合測定基準に基づいて、不連続伝送フレームあるいは消失フレームであると決定される、
請求項４記載の方法。
【請求項６】
前記総合測定基準は、
総合測定基準＝記号誤り率
−スロープ＊（電力制御ビットエネルギー／フレームエネルギー）
＋インターセプト、
として表現される、
なお、スロープは、消失フレームの分布を不連続伝送フレームの分布から分離するために使用される閾値線のスロープであり、インターセプトは、ゼロ（０．０）に設定された電力制御ビットエネルギー対フレームエネルギーの比を有する前記閾値線に関する記号誤り率値である、
請求項５記載の方法。
【請求項７】
スロープおよびインターセプトの値は、特定の運用シナリオに関する消失および不連続伝送フレームの分布に依存する、請求項６記載の方法。
【請求項８】
前記決定することは、前記複数の測定基準に基づいて得られる不連続伝送フレームの分布と消失フレームの分布とを分離するために使用される閾値線に、さらに基づく、請求項１記載の方法。
【請求項９】
前記閾値線は、前記１次伝送に関する特定の運用シナリオに基づいて選択される、請求項８記載の方法。
【請求項１０】
前記閾値線は、現在の運用条件を示す少なくとも１つの測定基準の推定値に基づいて定義される、請求項８記載の方法。
【請求項１１】
前記閾値線は、前記少なくとも１つの測定基準の現在の推定値に基づいて動的に更新される、請求項１０記載の方法。
【請求項１２】
前記少なくとも１つの測定基準は、再符号化記号の記号誤り率、電力制御ビットエネルギー、フレームエネルギー、フレームステータス、またはそれらの組合わせを具備する、請求項１０記載の方法。
【請求項１３】
前記受信フレームが良い、消失、または不連続の伝送フレームとして決定されるかどうかに一部分基づいて、前記２次伝送の送信電力を調整するための電力制御コマンドを決定すること、をさらに具備する請求項１記載の方法。
【請求項１４】
前記２次伝送は、前記１次伝送と多重化され、前記１次伝送の間の無伝送の期間中でさえ送出される、請求項１記載の方法。
【請求項１５】
前記無線通信システムはＩＳ−２０００またはＷ−ＣＤＭＡ通信システムである請求項１記載の方法。
【請求項１６】
前記１次伝送はＩＳ−２０００によって定義された順方向専用チャネル（Ｆ−ＦＣＨ）または順方向専用制御チャネル（Ｆ−ＤＣＣＨ）上で送出される、請求項１記載の方法。
【請求項１７】
ＣＤＭＡ通信システムにおける不連続伝送フレームを検出するための方法であって、
特定のフレームインターバルの間の受信フレームが、巡回冗長検査値に基づいて、良フレームであるのか、あるいは良フレームではないのかを決定することと、なお、良フレームは、正しく復号されたフレームである；
もし前記受信フレームが正しく復号されたデータを備えた良フレームである場合は、不連続伝送検出をスキップすることと；
もし前記受信フレームが良フレームでない場合は、
前記特定のフレームインターバルの間に受信された電力制御ビットのエネルギーを決定することと、
前記受信フレームのエネルギーを決定することと、
前記受信フレームに関する再符号化記号の記号誤り率を決定することと、
前記受信フレームが不連続伝送フレームであるのかまたは消失フレームであるのかを、前記記号誤り率、前記電力制御ビットエネルギー、および前記フレームエネルギーに基づいて決定すること、
を備えている不連続伝送検出を実行することと；
を具備しており、
前記フレームエネルギーは、前記受信フレーム内の良再生記号のエネルギー引く不良再生記号のエネルギーとして計算され、前記良再生記号および不良再生記号は、それぞれ、記号誤り無しおよび記号誤り有りに対応する、
方法。
【請求項１８】
前記受信フレームは、ＩＳ−２０００によって定義された順方向基本チャネル（Ｆ−ＦＣＨ）または順方向専用制御チャネル（Ｆ−ＤＣＣＨ）用であり、前記電力制御ビットは、前記順方向基本チャネル（Ｆ−ＦＣＨ）または順方向専用制御チャネル（Ｆ−ＤＣＣＨ）上で運ばれる順方向電力制御サブチャネル用である、請求項１７記載の方法。
【請求項１９】
特定のフレームインターバル内の１次伝送の間に受信されたフレームが良フレームであるのか良フレームでないのかを、誤り検出符号に基づいて決定するように動作する復号器と、なお、良フレームは正しく復号されたフレームである；
前記受信フレームに関するエネルギーおよび前記特定のフレームインターバルの間に受信された２次伝送についてのエネルギーを決定するように動作する信号品質測定ユニットと；
前記受信フレームに関する再符号化信号の記号誤り率を決定するように動作する符号器と；
もし前記受信フレームが正しく復号されたデータを備えた良フレームである場合は、不連続伝送検出をスキップし、もし前記受信フレームが良フレームでない場合は、不連続伝送検出を実行し、不連続伝送検出の場合には、前記受信フレームが不連続伝送フレームであるのかまたは消失フレームであるのかを、前記記号誤り率、前記フレームエネルギー、および前記２次伝送エネルギーに基づいて決定するように動作するフレーム検出器と；
を具備しており、
前記フレームエネルギーは、前記受信フレーム内の良再生記号のエネルギー引く不良再生記号のエネルギーとして計算され、前記良再生記号および不良再生記号は、それぞれ、記号誤り無しおよび記号誤り有りに対応する、
無線通信システムにおける受信ユニット。
【請求項２０】
前記２次伝送は電力制御ビットを具備する、請求項１９記載の受信器ユニット。
【請求項２１】
特定のフレームインターバル内の１次伝送の間に受信されたフレームが良フレームであるのか良フレームでないのかを、誤り検出符号に基づいて決定するための手段と、なお、良フレームは正しく復号されたフレームである；
もし前記受信フレームが正しく復号されたデータを備えた良フレームである場合は、不連続伝送検出をスキップするための手段と；
もし前記受信フレームが良フレームでない場合は、前記受信フレームが不連続伝送フレームであるのかまたは消失フレームであるのかを、前記特定のフレームインターバルの間に受信された前記１次伝送および２次伝送について決定された複数の測定基準に基づいて決定するための手段を備えている不連続伝送検出、を実行するための手段と；
を具備しており、
前記フレームエネルギーは、前記受信フレーム内の良再生記号のエネルギー引く不良再生記号のエネルギーとして計算され、前記良再生記号および不良再生記号は、それぞれ、記号誤り無しおよび記号誤り有りに対応する、
無線通信システムにおける装置。
【請求項２２】
前記受信フレームが不連続伝送フレームであるのかまたは消失フレームであるのかを、決定するための手段は、
前記２次伝送に関する前記特定のフレームインターバルの間に受信された電力制御ビットのエネルギーを決定するための手段と、
前記受信フレームのエネルギーを決定するための手段と、
前記受信フレームに関する再符号化記号の記号誤り率を決定するための手段と、
を含み、
前記記号誤り率、電力制御ビットエネルギー、およびフレームエネルギーは、前記受信フレームが不連続伝送フレームまたは消失フレームであるのかどうかを決定するために使用される、
請求項２１記載の装置。
【発明の詳細な説明】
【技術分野】
【０００１】
本発明は一般に通信に関し、そしてより詳しくは無線通信システムにおいて不連続伝送(discontinuous  transmission)（ＤＴＸ）を検出するための技術に関する。
【背景技術】
【０００２】
無線通信システムは種々のタイプの通信を提供するために広く展開される。これらのシステムは利用可能なシステム資源を共有することによって複数のユーザとの通信をサポートできる多重アクセスシステムであってもよい。そのような多重アクセスシステムの実例は符号分割多重アクセス（ＣＤＭＡ）システム、時分割多重アクセス（ＴＤＭＡ）システム、および周波数分割多重アクセス（ＦＤＭＡ）システムを含む。ＣＤＭＡシステムはＩＳ−２０００、Ｗ−ＣＤＭＡ、ＩＳ−８５６、ＩＳ−９５、等のような１つまたはそれ以上の標準を実施するために設計される。
【０００３】
ＩＳ−２０００およびＷ−ＣＤＭＡシステムのような、多くのより新しい世代の無線通信システムは柔軟な運用をサポートする。例えば、データは順方向および逆方向チャネル上の多数のサポートされたレートの任意の１つで送信されることができる。さらに、順方向チャネルはそれによってデータフレームが時間のある部分または大部分で伝送されてはならない非連続手法(non-continuous  manner)で運用されることができる。この非連続伝送はまた不連続伝送（ＤＴＸ）とも呼ばれる。ＩＳ−２０００およびＷ−ＣＤＭＡシステムとしては、無伝送期間中の順方向チャネルではいかなるデータフレームも実際には伝送されず、そしてこれらの非伝送フレームはしばしばＤＴＸフレームと呼ばれる。
【０００４】
ある機能として、どんなタイプのフレームが各フレームインターバルにおいて受信されたかを正確に検出する必要がある。例えば、ＩＳ−２０００システムでは、基地局はそれが端末（例えば、セルラ電話機）に送るべきデータを持たない時には順方向専用制御チャネル（Ｆ−ＤＣＣＨ）上へのそれの伝送を中止させる。Ｆ−ＤＣＣＨは順方向電力制御サブチャネルを運ぶように構成されてもよく、それはその端末のための電力制御（ＰＣ）ビットを含む。ＰＣビットはデータ伝送がない期間中でさえＦ−ＤＣＣＨ上に送信される。もしも順方向電力制御サブチャネルがＦ−ＤＣＣＨ上で運ばれれば、その時端末は良、不良（消失）、またはＤＴＸフレームのいずれが各フレームインターバル内で受信されたかを決定する必要があるであろう。順方向電力制御サブチャネルのためのＰＣビットがデータ伝送がない期間中でさえ端末によって正確に検出され得るように、この情報はＦ−ＤＣＣＨの送信電力を正確に制御する必要がある。
【０００５】
受信フレームが良フレームであるかどうかの決定は典型的に些細なことであり、そして各伝送データフレーム内に含まれた巡回冗長検査（ＣＲＣ）値に基づいてなされることができる。しかしながら、受信フレームが消失または（もしもＣＲＣが不合格であれば）ＤＴＸのいずれであるかの決定はより魅力的である。これは、不合格ＣＲＣは伝送されてはいるが誤って受信された（即ち、消失フレーム）か、または伝送されているデータフレームがない（即ち、ＤＴＸフレーム）に由来することができるからである。ＣＲＣ以外のいくつかの他の測定基準(metrics)はその後ＤＴＸフレームのために検出される必要があるであろう。
【０００６】
したがって無線（例えば、ＩＳ−２０００およびＷ−ＣＤＭＡ）通信システムにおいて順方向チャネル上のＤＴＸフレームを正確に検出するための技術に関してこの分野において必要性がある。
【発明の開示】
【０００７】
[発明の概要]
技術は非連続手法で送出されることができる“１次”伝送内のＤＴＸフレームについて検出するためにこの中に提供される。１次伝送に関する送信がない期間中でさえ送出される、“２次”伝送は１次伝送内のＤＴＸフレームについて検出するために使用される。ＩＳ−２０００システムに関しては、１次伝送は順方向基本チャネル（Ｆ−ＦＣＨ）またはＦ−ＤＣＣＨ上のデータ伝送であってもよく、そして２次伝送はＦ−ＦＣＨまたはＦ−ＤＣＣＨ上で運ばれる順方向電力制御サブチャネル上のＰＣビット伝送であってもよい。
【０００８】
１実施形態では、１方法は無線（例えば、ＩＳ−２０００またはＷ−ＣＤＭＡ）通信システムにおいてＤＴＸフレームを検出するために提供される。この方法に従うと、決定はまず特定のフレームインターバル内の１次伝送の間に受信されたフレームが（例えば、各伝送フレーム内に含まれたＣＲＣ値に基づいて）良フレームであるか否かがなされる。もしも受信フレームが良フレームでなければ、その時決定は、受信フレームがＤＴＸフレームかまたは特定のフレームインターバルの間に受信された１次および２次伝送に関して決定された多数の測定基準に基づいて消失フレームかが次になされる。
【０００９】
測定基準は（１）受信フレームについて再符号化記号の記号誤り率（ＳＥＲ）、（２）特定のフレームインターバルの間に受信された２次伝送のエネルギー（例えば、ＰＣビットエネルギー）、および（３）１次伝送の間の受信フレームのエネルギーを含んでもよい。簡単のため、総合測定基準(combined  metric)はすべての３測定基準（即ち、ＳＥＲ、ＰＣビットエネルギー、およびフレームエネルギー）に基づいて計算されることができ、そして受信フレームタイプ（即ち、消失またはＤＴＸ）を決定するために使用されることができる。
【００１０】
この発明の種々の観点および実施形態は以下にさらに詳細に記述される。
【００１１】
本発明の特徴、性質、および長所は、ここでおよび全体を通して付記される参照符号を有する図面とともに、下に述べる詳細説明からさらに明白になるであろう。
【発明を実施するための最良の形態】
【００１２】
図１は無線通信システム１００の図である。システム１００は多数の端末１０６と通信する多数の基地局１０４を含む。基地局は端末と通信するために使用される固定局であり、そしてまた基地トランシーバシステム（ＢＴＳ）、ノードＢ、アクセスポイント、または何か他の術語で呼ばれてもよい。端末もまた移動局、遠隔局、アクセスターミナル、ユーザ装置（ＵＥ）、または何か他の術語で呼ばれてもよい。各端末は順方向リンク上のおよび／または任意の与えられた瞬間には逆方向リンク上の１局または複数局の基地局と通信することができる。これは、端末がアクティブか否か、ソフトハンドオフがデータ伝送のためにサポートされるか否か、および端末がソフトハンドオフ中であるか否かに依る。
【００１３】
システムコントローラ１０２は基地局１０４に連結し、そしてさらに公衆電話交換ネットワーク（ＰＳＴＮ）および／またはパケットデータネットワーク（ＰＤＮ）に連結してもよい。システムコントローラ１０２はまた基地局コントローラ（ＢＳＣ）、移動交換センタ（ＭＳＣ）、無線ネットワークコントローラ（ＲＮＣ）、または何か他の術語で呼ばれてもよい。システムコントローラ１０２はそれに連結された基地局に関する調整と制御とを提供する。基地局を介して、システムコントローラ１０２はさらに（１）端末の間、および（２）端末と他のユーザおよびＰＳＴＮ（例えば、従前の電話機）とＰＤＮとに連結されたエンティティの間の呼の経路指示(routing)を制御する。
【００１４】
ＤＴＸフレームを検出することに関してこの中に記述された技術は種々の無線通信システム内で実施されることができる。このように、システム１００はＣＤＭＡシステム、ＴＤＭＡシステム、または何か他のタイプのシステムであってもよい。ＣＤＭＡシステムはＩＳ−２０００、ＩＳ−８５６、Ｗ−ＣＤＭＡ、ＩＳ−９５、等のような１つまたはそれ以上の標準を実施するように設計されることができる。ＴＤＭＡシステムは移動体通信用のグローバルシステム（ＧＳＭ）のような１つまたはそれ以上の標準を実施するように設計されることができる。これらの標準はこの分野では周知であり、そして引用によってこの中に組み込まれる。明快なこととして、ＤＴＸフレーム検出技術はＩＳ−２０００を実施するｃｄｍａ２０００システムに関して具体的に記述される。
【００１５】
順方向リンクでは、各基地局の容量は、実チャネル資源の利用度に従い、それの総送信電力によって限定される。各基地局は同じ周波数帯域上で同時に多数の端末にデータを送信できる。基地局の総送信電力の一部分はその後、全端末に割り当てられた加算電力(aggregate  power)が総送信電力以下か等しくなるように各アクティブ端末に割り当てられる。各アクティブ端末について望ましいレベルの性能を提供する一方で順方向リンク容量を最大化するために、基地局から各ユーザ特有の伝送のための送信電力はできるだけ低くなるように制御されてもよい。
【００１６】
逆方向リンクでは、基地局は多数の端末から送信された信号を受信できる。各端末からの受信信号はすべての他の端末からの受信信号への妨害として働く。逆方向リンク容量を最大化するために、各アクティブ端末の送信電力もまたできるだけ低くなるように制御されてもよい。
【００１７】
順方向リンク電力制御ループは、端末での受信信号品質が、しばしばセットポイントと呼ばれる、特定の目標信号対ノイズおよび妨害比(target  signal-to-noise-and-interference  ratio)（ＳＮＲ）で維持されるように各端末に送られたユーザ特有の送信のための送信電力を調整するために典型的に使用される。逆方向リンク電力制御ループもまた基地局での受信信号品質が、順方向リンクのために使用されたと同じセットポイントであってもよいかまたはあってはならない、もう１つのセットポイントで維持されるように各端末の送信電力を調整するために典型的に使用される。順方向および逆方向リンク電力制御ループは独立して運用される。各電力制御ループは（典型的に電力制御（ＰＣ）ビットかまたはＰＣコマンドのフォームでの）受信器からのフィードバックストリームを必要とし、それは受信器に送られた伝送のためのそれの送信電力を調整するために送信器によって使用される。
【００１８】
ＩＳ−２０００システムでは、端末は順方向リンク上のデータ伝送のためのＦ−ＦＣＨおよび／またはＦ−ＤＣＣＨを割り当てられることができる。Ｆ−ＦＣＨは端末にデータを送出するために使用される。Ｆ−ＤＣＣＨは典型的にＦ−ＦＣＨ用の制御データを送出するために使用される。Ｆ−ＦＣＨまたはＦ−ＤＣＣＨはまた順方向電力制御サブチャネルを運ぶように構成されてもよい。
【００１９】
図２はＩＳ−２０００によって定義されたＦ−ＦＣＨ、Ｆ−ＤＣＣＨ、および順方向電力制御サブチャネルを示す図である。Ｆ−ＦＣＨおよびＦ−ＤＣＣＨに関する送信時間線は（２０ｍｓ）フレームインターバルに区切られる。各フレームインターバルは０から１５まで番号付けされる１６個の（１．２５ｍｓ）電力制御グループ（ＰＣＧ）にさらに区切られる。データはＦ−ＦＣＨおよびＦ−ＤＣＣＨ上の５ｍｓまたは２０ｍｓ内に送信されることができる。
【００２０】
順方向電力制御サブチャネルはＦ−ＦＣＨまたは基地局によって専用されるＦ−ＤＣＣＨのいずれかの上で伝送されることができる。順方向電力制御サブチャネルは各電力制御グループについての逆方向リンク電力制御ループ用の１ＰＣビット（即ち、１ＦＬ  ＰＣビット）を含む。各ＦＬ  ＰＣビットは１電力制御グループの１／１２を占有し、そしてその電力制御グループ内に疑似乱数(pseudo-randomly)配置される。各電力制御グループの残りの部分はＦ−ＦＣＨまたはＦ−ＤＣＣＨ用のデータを送信するために使用される。ＦＬ  ＰＣビットは端末の送信電力を調整するために使用される。
【００２１】
もしもＦ−ＦＣＨが順方向電力制御サブチャネルを運ぶように構成されれば、その時はＦ−ＦＣＨ上で伝送された各データフレームが検出され、そしてＦ−ＦＣＨおよびＦ−ＤＣＣＨの送信電力を制御するセットポイントを調整するために使用される。Ｆ−ＦＣＨ上で伝送された各データフレームはＣＲＣ値を含み、そしてこのＣＲＣ値は受信フレームの状態を決定するために端末によって使用されることができる。もしもＣＲＣが合格すれば、その時は受信フレームは良フレーム（即ち、基地局によって送信されて、端末によって誤り無しで受信された）として分類される。あるいは、もしもＣＲＣが失敗すれば、その時は受信フレームは不良または消失（即ち、基地局によって送信されて、端末によって誤り付きで受信された）として分類される。受信フレーム状態（例えば、良または消失）はＦ−ＦＣＨおよびＦ−ＤＣＣＨの送信電力を制御するために順方向リンク電力制御ループによって使用されることができる。
【００２２】
Ｆ−ＤＣＣＨは非連続手法で運用されてもよい。もしもＦ−ＤＣＣＨが順方向電力制御サブチャネルを運ぶように構成されれば、その時はＦ−ＤＣＣＨ上にデータ伝送がない期間中であってさえ、ＦＬ  ＰＣビットが順方向リンク上に送信される。ＦＬ  ＰＣビットが端末によって正確に検出されるように、順方向リンクについての送信電力はなおデータ伝送がない期間中正確に制御されることが必要であろう。これは良、不良、またはＤＴＸフレームのいずれが各フレームインターバルの間端末によって受信されたかの正確な決定を必要とする。
【００２３】
モニターされている順方向チャネル（例えば、Ｆ−ＤＣＣＨ）が非連続手法で運用される時にＤＴＸフレームについて正確に検出するために、技術がこの中に記述される。伝送された各データフレーム内に含まれるＣＲＣ値は受信フレームが良好であるか否かを決定するために使用されることができる。しかしながら、ＣＲＣは受信フレームが消失フレームかＤＴＸフレームかを決定するために使用されることはできない。（下記される）他の測定基準がこの決定をするために代わりに使用される。この中に記述された技術は、大いに望ましい（即ち、低確率の失敗検出を有する）ＤＴＸフレームの正確な検出を提供することができる。失敗検出は、受信フレームをそれが実際にＤＴＸフレームである時には消失フレームであると宣言し、あるいは受信フレームをそれが実際に消失フレームである時にはＤＴＸフレームであると宣言する結果となる。
【００２４】
図３は端末での受信フレームの検出を示す図である。図３はまた検出されたフレームに基づいて逆方向リンク（ＲＬ）ＰＣコマンドの発生も示す。ＲＬ  ＰＣコマンドは端末への順方向リンク伝送の送信電力を調整するために使用される。
【００２５】
基地局は順方向リンク信号を発生して、端末に送信する。この順方向リンク信号は（もしも使用できるならば）ユーザ特有のトラフィックと制御データおよびＦＬ  ＰＣビット、オーバヘッドデータとシグナリング、等を含み、そのすべてはそれらの指定された順方向チャネル／サブチャネル上で運ばれる。ｃｄｍａ２０００システムについて、ユーザ特有のトラフィックと制御データとはＦ−ＦＣＨおよび／またはＦ−ＤＣＣＨ上の（５または２０ｍｓ）データフレーム内に送信されることができ、パイロットは順方向パイロットチャネル（Ｆ−ＰＩＣＨ）上に送信され、そしてＦＬ  ＰＣビットは順方向電力制御サブチャネル上に送信される。パイロットは基地局のカバレッジエリア内の全端末によって受信されることを意味するので、Ｆ−ＰＩＣＨのための送信電力は典型的に特定の電力レベルで固定される。しかしながら、Ｆ−ＦＣＨおよびＦ−ＤＣＣＨ上のトラフィックと制御データとはユーザ特有であり、そしてこれらの順方向チャネルのための送信電力は各端末（ブロック３１２）について個別に調整されることができる。
【００２６】
順方向リンク信号は無線チャネル（雲３１４）を介して端末に送信される。典型的に時間中そして特に移動端末について変化する無線チャネル内のパスロス(path  loss)のため、端末によって受信された信号の品質は連続的に変動する。
【００２７】
端末で、受信信号は各受信フレームのエネルギーおよび各フレームインターバルの間のＦＬ  ＰＣビットのエネルギーを決定するために信号品質測定ユニット３２２によって処理される。フレームエネルギーは種々の手法で計算されることができ、そして下記されるように、受信フレーム内の記号誤りを考慮に入れてもよい。ユニット３２２はＰＣビットエネルギーとフレームエネルギーとをＤＴＸフレーム検出器３２４に供給する。
【００２８】
受信プロセッサ３３２はまたＦ−ＦＣＨおよびＦ−ＤＣＣＨ上で受信された各フレームを検出および再生するようにこの受信信号を処理する。受信プロセッサ３３２は再生記号を得るように（受信信号をディジタル化することによって得られる）データサンプルを復調し、復号化ビットを得るように各受信フレームについての再生記号を復号し、そしてさらにフレームの状態（即ち、良または不良）を決定するようにそれのＣＲＣ値に基づいて各復号フレームを検査する。ＤＴＸフレーム検出については、受信プロセッサ３３２はまた再符号化コードシンボルを得るように各受信フレームについて復号されたビットを再符号化し、この再符号化記号を再生記号と比較し、そして受信フレームについて記号誤りと記号誤り率（ＳＥＲ）とを決定する。受信プロセッサ３３２はフレーム状態（即ち、良または不良）と各受信フレームについてのＳＥＲとをＤＴＸフレーム検出器３２４に供給する。受信プロセッサ３３２はまた記号誤りの表示を信号品質測定ユニット３２２に供給することができ、それはフレームエネルギーを決定することにこの情報を使用できる。
【００２９】
ＤＴＸフレーム検出器３２４はユニット３２２からのＰＣビットエネルギーとフレームエネルギー、および受信プロセッサ３３２からのフレーム状態とＳＥＲを含む種々の測定基準を受信する。ＤＴＸフレーム検出器３２４はその後各受信フレームが良、消失、またはＤＴＸのいずれであるかをこれらの測定基準に基づいて決定する。ＤＴＸフレームについての検出は以下に詳細に記述される。ＤＴＸフレーム検出器３２４はその後各受信フレームについてのフレームインジケータ（即ち、良、消失、またはＤＴＸ）をセットポイント調整ユニット３２６に供給し、それはこのセットポイントをフレームインジケータに基づいて更新して、現在のセットポイントをＰＣコマンド発生器３２８に供給する。
【００３０】
ＰＣコマンド発生器３２８はセットポイント調整ユニット３２６からセットポイントを受信し、そして多分他の測定基準（例えば、ユニット３２２からの受信信号品質）を受信する。発生器３２８はその後逆方向リンク電力制御ループについてのＰＣコマンドを得る。これらのＲＬ  ＰＣコマンドは逆方向電力制御サブチャネル上で基地局に返送され、そしてＦ−ＦＣＨおよびＦ−ＤＣＣＨのための送信電力を調整するために使用される。これは、Ｆ−ＤＣＣＨ上でのデータ送信がない時でさえＦＬ  ＰＣビットが端末によって正確に検出され得ることを保証する。
【００３１】
ＤＴＸフレームの検出は種々の測定基準に基づいて実行されることができる。１つのそのような測定基準はＳＥＲである。ＣＲＣとＳＥＲのみを使用する１例の従前のＤＴＸ検出アルゴリズムは疑似符号(pseudo-code)で、次の通り表現されることができる：
【数１】
0004571506.tif 000002
【００３２】
図４は消失フレームおよびＤＴＸフレームについてＳＥＲの確率密度関数(probability  density  function)（ＰＤＦ）を示す。左縦軸は発生の確率を表し、そして横軸はＳＥＲを表す。消失フレームについて任意の与えられたＳＥＲを得ることの確率はプロット４１０によって与えられ、それは消失フレームについてのＳＥＲのＰＤＦである。同様に、ＤＴＸフレームについて任意の与えられたＳＥＲを得ることの確率はプロット４１２によって与えられ、それはＤＴＸフレームについてのＳＥＲのＰＤＦである。
【００３３】
ＤＴＸフレームを検出するために使用されたＳＥＲ 閾値は特定のＳＥＲ値での縦線４１４によって表されることができる。上記アルゴリズムとしては、受信フレームはもしもそのフレームについてのＳＥＲがＳＥＲ 閾値以上であればＤＴＸフレームとして検出され、そして（ＣＲＣが失敗すると仮定して）その他では消失フレームとして検出されるであろう。
【００３４】
図４に示されるように、消失およびＤＴＸフレームについてのＰＤＦはオーバーラップする。このように、どのＳＥＲ値がＳＥＲ 閾値として使用されるかには関係なく、検出誤りはあるであろう。消失対ＤＴＸからの検出誤り（または失敗検出）の確率は隠された領域(shaded  area)４２０によって与えられ、それは線４１４の右でプロット４１０の下にある。ＤＴＸ対消失からの検出誤りの確率は領域４２２によって与えられ、それは線４１４の左でプロット４１２の下にある。トレードオフ(tradeoff)は消失対ＤＴＸ確率とＤＴＸ対消失確率との間でＳＥＲ 閾値を調整することによってなされることができる。しかしながら、図４内のプロットから眼前に浮かび上がらせることができるように、もしも消失対ＤＴＸ確率が１０％未満に維持されるようであれば、その時はＤＴＸ対消失確率は（例えば、ある運用シナリオの下では５０％まで）かなり高くなる可能性がある。
【００３５】
１つの実施形態では、ＤＴＸフレームの検出は３つの測定基準―ＳＥＲ、ＰＣビットエネルギー、およびフレームエネルギーに基づいて実行される。図４に上述されたように、ＳＥＲのみではＤＴＸフレームの正確な検出を提供するには不十分である。しかしながら、もしも２次伝送がＦ−ＦＣＨまたはＦ−ＤＣＣＨ上のＦＬ  ＰＣビットのような、ＤＴＸフレームについて使用可能であれば、その時この２次伝送のエネルギーはＤＴＸフレームについてより正確に検出するためにＳＥＲと一緒に使用されることができる。ＰＣビットエネルギーはそれをフレームエネルギーにより分割することによって正規化される。
【００３６】
図５はＳＥＲ対“正規化”ＰＣビットエネルギーによってプロットした時の消失およびＤＴＸフレームの分布を示す。正規化ＰＣビットエネルギーはフレームエネルギーによって分割されたＰＣビットエネルギーに等しい。横軸はＳＥＲを表し、そして縦軸は正規化ＰＣビットエネルギーを表す。
【００３７】
ＳＥＲと正規化ＰＣビットエネルギーとは多数の消失フレームについて決定され、そしてプロットされた時には、分布５１０という結果となる。同様に、ＳＥＲと正規化ＰＣビットエネルギーとは多数のＤＴＸフレームについて決定され、そしてプロットされた時には、分布５１２という結果となる。
【００３８】
図５に示されるように、これらの測定基準を使用してプロットされた時には、消失フレームの分布はＤＴＸフレームの分布と非常に少ししかオーバーラップしない。１ＤＴＸフレームのエネルギーはＦ−ＦＣＨおよびＦ−ＤＣＣＨのための与えられた送信電力に対してより小さくなりやすく、それはその後ＤＴＸフレームのためのより大きい正規化ＰＣビットエネルギーという結果となる。反対に、１消失フレームのエネルギーはＦ−ＦＣＨおよびＦ−ＤＣＣＨのための同じ送信電力に対してより大きくなりやすく、それはその後消失フレームのためのより小さい正規化ＰＣビットエネルギーという結果となる。このように、消失およびＤＴＸフレームについての分布はこれらの測定基準を使用してプロットされた時には互いに分離される。
【００３９】
閾値線５１４は与えられた受信フレームが消失またはＤＴＸフレームのいずれなのかを決定するための使用について定義される。もしも受信フレームについてのＳＥＲおよび正規化ＰＣビットエネルギーが閾値線５１４の下にある点にマッピングすれば消失フレームが宣言され、その他ではＤＴＸフレームが宣言される。
【００４０】
図５に示された消失およびＤＴＸフレーム分布は、以下のパラメータによって定義される、特有の運用シナリオのためである：ＩＳ２０００における無線構成（ＲＣ）３、加法的ガウス・ホワイトノイズ（ＡＷＧＮ）チャネル、２パス（即ち、伝送された信号のための２伝播パス）、電力制御ＯＮ、１％フレーム誤り率（ＦＥＲ）、および幾何（Ｇ）＝３ｄＢ。種々の運用シナリオは異なるセットの消失およびＤＴＸフレーム分布と関連されてもよい。
【００４１】
図６は順方向チャネル上の非連続伝送についてＤＴＸフレームを検出するための処理６００の１実施形態のフロー図である。このフロー図については、順方向チャネルは順方向電力制御サブチャネルを運ぶように構成されるＦ−ＤＣＣＨであると仮定される。処理６００はそれのタイプ（即ち、良、消失、またはＤＴＸ）を決定することを各受信フレームに対して行う。
【００４２】
各フレームインターバルの間、Ｆ−ＤＣＣＨはそのフレームインターバル内に伝送された可能性があるデータフレームを再生することを試みるように処理される（ステップ６１２）。Ｆ−ＤＣＣＨ処理は典型的に復調と復号とを含み、そしてこの分野で既知の手法で実行されることができる。ステップ６１２の結果は受信フレームについての復号化ビットのシーケンスである。受信フレームはその後そのフレームに関するＣＲＣ値に基づいて検査される（ステップ６１４）。
【００４３】
その後ＣＲＣは合格か否かの決定がなされる（ステップ６１６）。もしも答えがイエスであれば、その時には受信フレームは良フレームと宣言され（ステップ６１８）、そして処理は終結する。
【００４４】
そうではなく、もしもステップ６１６でＣＲＣが失敗すれば、その時には受信フレームのＳＥＲが決定される（ステップ６２２）。これは復号化ビットを再符号化し、そしてこの再符号化記号を再生記号と比較することによって達成されることができる。再符号化記号はバイナリ値であり、そして再生記号は典型的にソフトデシジョン（即ち、マルチビット値）であるので、記号誤り検出は記号誤りがあるか否かを決定するように、各再符号化記号を対応する再生記号の極性と比較することによって実行されることができる。その時ＳＥＲは受信フレームに関する再生記号の総数によって割算された記号誤りの数と等しくなる。割算は常態では実行することが難しいので、ＳＥＲは与えられたフレームサイズについて受信フレーム内の記号誤りの総数によって与えられてもよい。
【００４５】
フレームインターバルの間に受信されたＦＬ  ＰＣビットも処理され、そしてこれらのＰＣビットのエネルギーが決定される（ステップ６２４）。ＰＣビットエネルギーは（１）各ＰＣビットについて同相(Ｉ)と直交（Ｑ）成分の２乗を合計すること、および（２）そのフレームインターバル内の１６ＰＣビットについての合計値を累算することによって計算されることができる。
【００４６】
受信フレームのエネルギーも決定される（ステップ６２６）。このフレームエネルギーは種々の手法で計算されることができる。１実施形態では、フレームエネルギーは（１）受信フレーム内の各再生記号のエネルギーをこの再生記号についてのＩおよびＱ成分の２乗の合計として決定すること、および（２）全再生記号（即ち、ＰＣビットを除いて）のエネルギーを累算することによって計算される。第２の実施形態では、フレームエネルギーは（１）受信フレーム内の各再生記号のエネルギーを決定すること、（２）全良再生記号（即ち、それらの対応する再符号化記号と同じ極性を有するもの）のエネルギーを累算すること、（３）全不良再生記号（即ち、記号誤りである、それらの対応する再符号化記号と反対の極性を有するもの）のエネルギーを累算すること、および（４）フレームエネルギーを得るために良再生記号エネルギーから不良再生記号エネルギーを引算することによって計算される。この手法で決定されたフレームエネルギーはまた“復号化フレームエネルギー”とも呼ばれる。（図５について使用されたフレームエネルギーは第２の実施形態を使用して決定される。）一般に、ＰＣビットエネルギーとフレームエネルギーとは米国特許番号第５，０５６，１０９号および第５，２６５，１１９号内に記述されたものを含む、種々の技術を使用して計算されることができる。ステップ６２２、６２４および６２６は（例えば、図３内のユニット３２２および３３２によって）ＣＲＣが失敗する時だけ何時でも受信フレームについて実行されることができる。
【００４７】
受信フレームが消失またはＤＴＸのどちらであるかの決定はその後ＳＥＲ、ＰＣビットエネルギー、およびフレームエネルギーに基づいてなされる。これは（例えば、図５に示されるように）受信フレームに関するＳＥＲおよび正規化ＰＣビットエネルギー（即ち、ＰＣビットエネルギー／フレームエネルギー）をプロットすることおよびプロットされた点が閾値線（例えば、図５における線５１４）の上下のどちらにあるかを決定することによって視覚的に達成されることができる。
【００４８】
しかしながら、簡単のために、総合測定基準は、次の通り、ＳＥＲ、ＰＣビットエネルギー、およびフレームエネルギーに基づいて計算される（ステップ６２８）：
総合測定基準＝ＳＥＲ−スロープ＊（ＰＣビットエネルギー／フレームエネルギー）＋インターセプト                                                            式（１）ここでスロープは消失フレームをＤＴＸフレームから区別する（または分離する）ために使用された閾値線のスロープであり、そしてインターセプトはゼロ（０．０）に等しく設定された正規化ＰＣビットエネルギーを有する閾値線についてのＳＥＲ値である。スロープはΔＳＥＲ／Δ正規化ＰＣビットエネルギーに等しい。
【００４９】
図５の閾値線５１４について、式（１）は下記のように表現されることができる：
総合測定基準＝ＳＥＲ−５２０＊（ＰＣビットエネルギー／フレームエネルギー）＋３８０、                                                                      式（２）ここでスロープは５２０に等しくそしてインターセプトは−３８０に等しい（例えば、正規化ＰＣビットエネルギーが１．０に等しい時には、ＳＥＲは１４０に等しい）。
【００５０】
スロープおよびインターセプトについての値は消失フレームをＤＴＸフレームから区別するために使用された特有の閾値線に依存し、それは順番に定義された測定基準を使用している消失およびＤＴＸフレームの分布に依存してもよい。上記したように、種々の運用シナリオについて種々の分布が得られ、どちらの場合も種々のセットのスロープおよびインターセプト値を有する種々の閾値線が種々の運用シナリオについて使用できる。スロープおよびインターセプト値は運用の開始で静的に決定されることができるかあるいはそれらは動的に決定され、そして（例えば、指定された更新レートで）割り当てられることができる。スロープおよびインターセプト値はＳＥＲの現在の推定値、フレームエネルギー、ＰＣビットエネルギー、ＣＲＣ等のような種々のファクタに基づいて動的に決定されることができる。スロープおよびインターセプト値の動的な割当ては動的に変化しているチャネル状態の下で改善された性能を提供できる。
【００５１】
閾値線はまた式（１）および（２）内に示されたような線形関数の代わりにより高次の関数または非線形関数に基づいて定義されてもよい。例えば、閾値線は２次関数(quadratic  function)に基づいて定義されてもよい。
【００５２】
決定はその後総合測定基準がＤＴＸフレームを示すか否かを行う（ステップ６３０）。これは式（１）または（２）に基づいて計算された総合測定基準が０以下であるかどうかの場合であるだろう。1例として、もしもＳＥＲが２２０に等しく、そして正規化ＰＣビットエネルギーが２．０に等しいならば、その時は式（２）によって計算された総合測定基準は−４４０になるであろうし、そしてＤＴＸフレームを示すであろう。もう１つの例として、もしもＳＥＲが１８０に等しく、そして正規化ＰＣビットエネルギーが０．８に等しいならば、その時は式（２）からの総合測定基準は１４４になるであろうし、そして消失フレームを示すであろう。もしもステップ６３０についての答えがイエスであれば、その時受信フレームはＤＴＸフレームと宣言される（ステップ６３２)。その他では、受信フレームは消失フレームと宣言される（ステップ６３４）。どちらの場合も、処理は終結する。
【００５３】
ＳＥＲ、ＰＣビットエネルギー、およびフレームエネルギーに基づくＤＴＸフレームの検出は、次の通り、疑似符号で表現されることができる。
【数２】
0004571506.tif 000003
【００５４】
再び、他の値は他の運用シナリオについてのスロープおよびインターセプトとして使用されることができる。
【００５５】
ＳＥＲ、ＰＣビットエネルギー、およびフレームエネルギーを使用する革新的なＤＴＸ検出アルゴリズムは、種々の運用シナリオについてシミュレートされた。シミュレーションはこのＤＴＸ検出アルゴリズムがＳＥＲのみを使用する従前のアルゴリズムを超える優れた性能を提供できることを示す。特に、革新的なＤＴＸ検出アルゴリズムは、大部分の場合についてＤＴＸ対消失の誤検出(false  detection)確率を１％のオーダーで提供でき、そして消失対ＤＴＸの誤検出確率も１％のオーダーで提供できる。
【００５６】
図７は基地局１０４ｘおよび端末１０６ｘの１つの実施形態のブロック図である。順方向リンクでは、送信（ＴＸ）データプロセッサ７１０は種々のタイプのデータを受信し、そしてこの受信データを処理する（例えば、フォーマットし、符号化し、およびインターリーブする）。処理されたデータは変調器（ＭＯＤ）７１２に供給され、そしてさらに（例えば、１つまたはそれ以上のチャネル化符号でチャネル化され、疑似ランダムノイズ（ＰＮ）シーケンスでスペクトル拡散される等）処理される。変調されたデータはその後送信器ユニット（ＴＭＴＲ）７１４に供給され、そして順方向リンク信号を発生するために（例えば、１つまたはそれ以上のアナログ信号に変換され、増幅され、フィルタされ、周波数アップコンバートされる等）調節される。順方向リンク信号はデュプレクサ（Ｄ）７１６により送られ、そしてアンテナ７１８を介して端末に送信される。
【００５７】
簡単のために図７には示されていないが、基地局１０４ｘはデータを処理して送信し、そして特定の端末への１つまたはそれ以上の順方向チャネル／サブチャネル（例えば、Ｆ−ＦＣＨ、Ｆ−ＤＣＣＨ、順方向電力制御サブチャネル、等）上にシグナリングすることが可能である。各順方向チャネル／サブチャネルのための処理（例えば、符号化および変調）は他の順方向チャネル／サブチャネルのそれと異なってもよい。
【００５８】
端末１０６ｘでは、順方向リンク信号はアンテナ７５２によって受信され、デュプレクサ７５４により送られ、そして受信器ユニット（ＲＣＶＲ）７５６に供給される。受信器ユニット７５６は受信信号を調節し（例えば、フィルタし、増幅し、そして周波数ダウンコンバートし）、そしてデータサンプルを供給するために調節された信号をさらにディジタル化する。復調器（Ｄｅｍｏｄ）７５８は再生信号（即ち、復調データ）を供給するためにデータサンプルをさらに処理する（例えば、逆拡散し、チャネル化し、そしてデータ復調する）。復調器７５８は受信信号内の複数の信号インスタンスを処理できるレーキ受信器を実施してもよい。
【００５９】
復号器７６０はその後デインターリーブし、そして復号化ビットを供給するために再生記号を復号し、そしてさらにフレームの状態を決定するために各受信フレームを検査する。フレーム状態は各フレームインターバルの間に良フレームが受信されたか否かを示し、そしてＤＴＸフレーム検出器７７４に供給される。復号器／比較器７６２は再符号化記号を得るために各受信フレームについて復号化ビットを再符号化し、そして記号誤り（ＳＥ）と各フレームのＳＥＲとを決定するために再符号化記号を再生記号と対照して比較する。ＳＥＲはＤＴＸフレーム検出器７７４に供給され、そして記号誤りの表示はユニット７７２に供給されて、フレームエネルギーを決定するために使用されることができる。
【００６０】
ＤＴＸフレームの検出について、受信器ユニット７５６からのデータサンプルはまた信号品質測定ユニット７７２にも供給され、それは順方向電力制御サブチャネル上で受信されたＰＣビットのエネルギーおよび各受信フレームのエネルギーを決定する。フレームエネルギーは、上記されたように、良および不良再生記号（即ち、記号誤り）を考慮に入れる手法で計算されることができる。ＰＣビットおよびフレームエネルギーはＤＴＸフレーム検出器７７４に供給される。
【００６１】
良フレームでない各受信フレームについて、ＤＴＸフレーム検出器７７４は、上記されたように、ＳＥＲ、ＰＣビットエネルギー、およびフレームエネルギーに基づいてこのフレームが消失フレームかまたはＤＴＸフレームのどちらかを決定する。ＤＴＸフレーム検出器７７４はＤＴＸフレームについて検出するために図６に示された処理を実施することができる。ＤＴＸフレーム検出器７７４は各受信フレームについてのフレームインジケータ（良、消失、またはＤＴＸ）をコントローラ７８０に供給し、コントローラはその後順方向チャネルの送信電力を調整するために使用されるＲＬ  ＰＣコマンドを発生する。
【００６２】
逆方向リンクでは、送信データプロセッサ７９０は種々のタイプのデータを受信して処理する（例えば、フォーマットし、符号化する）。変調器７９２は送信データプロセッサ７９０からデータを受信して、さらに処理する（例えば、チャネル化してスペクトル拡散する）。ＩＳ−２０００について、ＲＬ  ＰＣコマンドはパイロットデータと多重化され、そして逆方向パイロットチャネル上に送信されることができる。変調データはその後逆方向リンク信号を発生するために送信器ユニット７９４によって調節され、それはその後デュプレクサ７５４により送られ、そしてアンテナ７５２を介して１つまたはそれ以上の基地局に送信される。
【００６３】
基地局１０４ｘでは、逆方向リンク信号はアンテナ７１８によって受信され、デュプレクサ７１６により送られ、そして受信器ユニット７３８に供給される。受信器ユニット７３８は受信信号を調節し、調節された信号をディジタル化し、そしてサンプルストリームを各チャネルプロセッサ７４０に供給する。各チャネルプロセッサ７４０は復調器７４２および、送信データとＲＬ  ＰＣコマンドとを再生するために１端末に関するサンプルストリームを受信して処理する受信信号プロセッサ７４４を含む。電力制御プロセッサ７２０はＲＬ  ＰＣコマンドを受信し、そしてこれらのＲＬ  ＰＣコマンドに基づいて（ＦＬ  ＰＣビットを送出するために使用される順方向電力制御サブチャネルを含む）端末のための順方向チャネルの送信電力を調整する。電力制御プロセッサ７２０はまた端末からの逆方向リンク信号に関する受信信号品質と共に供給され、そして端末への順方向電力制御サブチャネル上に送出されるべきＦＬ  ＰＣビットを決定する。
【００６４】
コントローラ７３０および７８０はそれぞれ、基地局および端末内の種々の処理ユニットの動作を指示する。コントローラ７８０はまた、例えば、ＰＣビットエネルギーおよびフレームエネルギーを決定すること、総合測定基準を計算すること、受信フレームが消失またはＤＴＸのどちらかを決定すること等のようなＤＴＸフレーム検出に関する種々の機能を実行するように設計されてもよい。このように、コントローラ７８０はユニット７７２および／または検出器７７４を実施するように設計されてもよい。メモリユニット７３２および７８２はそれぞれ、基地局および端末内の種々の処理ユニットによって使用されるデータおよびプログラム符号を蓄積できる。
【００６５】
簡単のために、ＤＴＸフレーム検出の種々の局面および実施形態はＩＳ−２０００を実施するｃｄｍａ２０００システムについて具体的に記述された。一般に、これらの技術は非連続手法で伝送されることができる１次伝送においてＤＴＸフレームについて検出するために使用されることができる。１次伝送の間の無伝送の期間中に伝送される２次伝送は１次伝送内のＤＴＸフレームについて検出するために使用される。ｃｄｍａ２０００システムについては、１次伝送はＦ−ＦＣＨまたはＦ−ＤＣＣＨ上に送出されるものであってもよく、そして２次伝送は順方向電力制御サブチャネル上に送出されるものであってもよい。２次伝送は１次伝送のそれと関連する送信電力を有する任意の伝送であってもよい。
【００６６】
ＤＴＸフレームの検出はまた、ＳＥＲ、ＰＣビットエネルギー、およびフレームエネルギーを含む上記された特定の組合わせのほかの測定基準の他の組合わせに基づいて実行されてもよい。例えば、ＤＴＸ検出はまさしくＳＥＲとフレームエネルギーとの組合わせ、ＳＥＲとＰＣビットエネルギーとの組合わせ等に基づいて実行されてもよい。
【００６７】
この中に記述された技術は順方向リンクはもちろん逆方向リンク上のＤＴＸフレームについて検出するために使用されることができる。これらの技術はまたＩＳ−２０００およびＷ−ＣＤＭＡシステムのような、種々の無線通信システムについても使用されることができる。
【００６８】
この中に記述されたＤＴＸフレーム検出技術は種々の手段によって実施されることができる。例えば、これらの技術はハードウェア、ソフトウェア、またはそれの組合わせで実施されることができる。ハードウェア実施形態に関して、ＤＴＸフレーム検出は１つまたはそれ以上の特定用途向け集積回路（ＡＳＩＣ）、ディジタル信号プロセッサ（ＤＳＰ）、ディジタル信号処理装置（ＤＳＰＤ）、プログラマブルな論理装置（ＰＬＤ）、フィールド・プログラマブル・ゲートアレイ（ＦＰＧＡ）、プロセッサ、コントローラ、マイクロコントローラ、マイクロプロセッサ、この中に記述された機能を実行するように設計された他の電子ユニット、またはそれの組合わせ内で実施されることができる。
【００６９】
ソフトウエア実施形態に関して、ＤＴＸフレーム検出はこの中に記述された機能を実行するモジュール（例えば、手順、関数等）で実施されてもよい。ソフトウェア符号はメモリユニット（例えば、図７におけるメモリユニット７８２）内に蓄積されてもよく、そしてプロセッサ（例えば、コントローラ７８０）によって実行されることができる。メモリユニットはプロセッサ内であるいはプロセッサの外部で実施されてもよく、いずれの場合にもそれはこの分野において周知のいろいろな手段を介してプロセッサと通信的に連結されることができる。
【００７０】
図示された実施形態の前の説明は、この分野の任意の熟練技術者が本発明を製作または使用することを可能とするために提供される。これらの実施形態へのいろいろな変更は、この分野の技術者にはたやすく明白であるだろうし、そしてその中に定義された包括的な原理はこの発明の精神または範囲から逸脱すること無しに他の実施形態に適用されてもよい。従って、本発明はこの中に示された実施形態に限定されるつもりはなく、しかしこの中に開示された原理および新規な特徴と矛盾しない最も広い範囲が許容されるべきである。
【図面の簡単な説明】
【００７１】
【図１】無線通信システムを示す図である。
【図２】ＩＳ−２０００によって定義されたＦ−ＦＣＨ、Ｆ−ＤＣＣＨ、および順方向電力制御サブチャネルを示す図である。
【図３】端末での受信フレームの検出を示す図である。
【図４】消失およびＤＴＸフレームについてＳＥＲの確率密度関数（ＰＤＦ）を示す図である。
【図５】ＳＥＲ対正規化ＰＣビットエネルギーによってプロットされた時に消失およびＤＴＸフレームの分布を示す図である。
【図６】順方向チャネル上の非連続伝送についてＤＴＸフレームを検出するための処理を示すフロー図である。
【図７】無線通信システム内の基地局および端末を示すブロック図である。
【符号の説明】
【００７２】
１００…無線通信システム、１０２…システムコントローラ、１０４…基地局、１０６…端末、３１４…無線チャネル、３２２…信号品質測定ユニット、３２４…ＤＴＸフレーム検出器、３３２…受信プロセッサ、３２６…セットポイント調整ユニット、３２８…ＰＣコマンド発生器、７１０…送信（ＴＸ）データプロセッサ、７１２…変調器（ＭＯＤ）、７１４…送信器ユニット（ＴＭＴＲ）、７１６，７５４…デュプレクサ（Ｄ）、７１８，７５２…アンテナ、７２０…電力制御プロセッサ、７４０…チャネルプロセッサ、７４２…復調器、７５６…受信器ユニット（ＲＣＶＲ）、７５８…復調器（Ｄｅｍｏｄ）、７６０…復号器、７６２…復号器／比較器、７７２…信号品質測定ユニット、７７４…ＤＴＸフレーム検出器、７３０，７８０…コントローラ、７９０…送信データプロセッサ、７９２…変調器、７９４…送信器ユニット、
【図１】
0004571506.tif 000004
【図２】
0004571506.tif 000005
【図３】
0004571506.tif 000006
【図４】
0004571506.tif 000007
【図５】
0004571506.tif 000008
【図６】
0004571506.tif 000009
【図７】
0004571506.tif 000010